(57)【特許請求の範囲】
【請求項１】
建屋の外壁面と対向して設けられ、複数の貫通孔が形成される仕切板と、
前記外壁面と前記仕切板との間に形成される浸水流路と、
前記仕切板と対向して設けられ、前記仕切板の外側に設けられる金属板と、
前記仕切板と前記金属板との間に設けられる吸水材と、を備えることを特徴とする建屋の火災防護設備。
【請求項２】
前記吸水材は、吸水性を有するセラミック繊維であることを特徴とする請求項１に記載の建屋の火災防護設備。
【請求項３】
前記仕切板は、パンチングメタルであることを特徴とする請求項１または２に記載の建屋の火災防護設備。
【請求項４】
前記外壁面と前記仕切板との間に設けられ、前記外壁面に沿って設けられる断熱材をさらに備えることを特徴とする請求項１から３のいずれか１項に記載の建屋の火災防護設備。
【請求項５】
前記建屋の設置面に対して窪んで設けられ、用水を貯留可能な貯留槽をさらに備え、
前記吸水材は、前記貯留槽の内部まで延在して設けられることを特徴とする請求項１から４のいずれか１項に記載の建屋の火災防護設備。
【請求項６】
前記吸水材は、鉛直方向の上方側が開放されていることを特徴とする請求項１から５のいずれか１項に記載の建屋の火災防護設備。
【請求項７】
前記吸水材の上方を覆う雨除け部材をさらに備えることを特徴とする請求項１から６のいずれか１項に記載の建屋の火災防護設備。
【発明の詳細な説明】
【技術分野】
【０００１】
本発明は、津波随伴火災から建屋を保護する建屋の火災防護設備に関するものである。
【背景技術】
【０００２】
従来、建築物の軸組に耐火壁パネルを敷設してなる耐火壁構造が知られている（例えば、特許文献１参照）。この耐火壁パネルは、内部のコア材と、コア材を覆う被覆材とからなっている。また、コア材は、発泡体から成る準不燃性以上の断熱芯材層と、芯材層に付着される無機材料成形板とからなっている。この耐火壁パネルは、耐火基準を満たしつつ、軽量なものとなっている。
【先行技術文献】
【特許文献】
【０００３】
【特許文献１】実開平６−６５３６号公報
【発明の概要】
【発明が解決しようとする課題】
【０００４】
ところで、建屋外部において、外的事象として津波が発生すると、津波の発生に伴って火災が生じる可能性がある。この火災を、津波随伴火災という。津波随伴火災が発生する場合、建屋を保護するために、火災によって建屋に与えられる熱を遮る（遮熱する）必要がある。特許文献１の耐火壁構造は、耐火基準を満たしているものの、津波による浸水は考慮されていない。
【０００５】
そこで、本発明は、津波随伴火災から建屋を好適に保護することができる建屋の火災防護設備を提供することを課題とする。
【課題を解決するための手段】
【０００６】
本発明の建屋の火災防護設備は、建屋の外壁面と対向して設けられ、複数の貫通孔が形成される仕切板と、前記外壁面と前記仕切板との間に形成される浸水流路と、前記仕切板と対向して設けられ、前記仕切板の外側に設けられる金属板と、前記仕切板と前記金属板との間に設けられる吸水材と、を備えることを特徴とする。
【０００７】
この構成によれば、津波が建屋に到達すると、海水が浸水流路を流通し、仕切板の複数の貫通孔を介して吸水材により吸水される。このため、金属板と仕切板との間の吸水材は、海水を含むこととなる。このため、津波随伴火災が生じる場合であっても、吸水材に含まれる海水が蒸発することで、火災の熱による建屋の温度上昇を抑制することができる。よって、津波随伴火災による熱を遮熱することができるため、建屋を好適に保護することができる。
【０００８】
また、前記吸水材は、吸水性を有するセラミック繊維であることが好ましい。
【０００９】
この構成によれば、海水を好適に吸水することができる。
【００１０】
また、前記仕切板は、パンチングメタルであることが好ましい。
【００１１】
この構成によれば、安価な材料を用いて仕切板を構成することができる。なお、パンチングメタルの他、メッシュを有する網材を用いてもよい。
【００１２】
また、前記外壁面と前記仕切板との間に設けられ、前記外壁面に沿って設けられる断熱材をさらに備えることが好ましい。
【００１３】
この構成によれば、断熱材により、津波随伴火災による熱をさらに遮熱することができるため、建屋をより好適に保護することができる。
【００１４】
また、前記建屋の設置面に対して窪んで設けられ、用水を貯留可能な貯留槽をさらに備え、前記吸水材は、前記貯留槽の内部まで延在して設けられることが好ましい。
【００１５】
この構成によれば、用水としての海水を貯留槽に貯留することができる。このため、津波が引いた後でも、吸水材が海水を吸水することができる。
【００１６】
また、前記吸水材は、鉛直方向の上方側が開放されていることが好ましい。
【００１７】
この構成によれば、吸水材に含まれる海水が火災による熱によって蒸発することで発生する蒸気を、鉛直方向の上方側から好適に抜くことができる。
【００１８】
また、前記吸水材の上方を覆う雨除け部材をさらに備えることが好ましい。
【００１９】
この構成によれば、雨除け部材により雨水が吸水材に流入することを抑制することができ、吸水材が劣化することを抑制することができる。
【図面の簡単な説明】
【００２０】
【図１】図１は、実施形態１に係る建屋の火災防護設備を模式的に表した概略構成図である。
【図２】図２は、実施形態１に係る建屋の火災防護設備を部分的に拡大した模式図である。
【図３】図３は、実施形態２に係る建屋の火災防護設備を模式的に表した概略構成図である。
【発明を実施するための形態】
【００２１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。さらに、以下に記載した構成要素は適宜組み合わせることが可能であり、また、実施形態が複数ある場合には、各実施形態を組み合わせることも可能である。
【００２２】
［実施形態１］
図１は、実施形態１に係る建屋の火災防護設備を模式的に表した概略構成図である。図２は、実施形態１に係る建屋の火災防護設備を部分的に拡大した模式図である。
【００２３】
図１及び図２に示す火災防護設備１が設けられる建屋５は、例えば、原子力発電プラント等の原子力施設の建屋である。この火災防護設備１は、津波の発生に伴って生じる津波随伴火災から建屋５を保護する設備となっている。ここで、図１に示すように、建屋５の外部には、建屋５の設置面７から窪んで形成されるトレンチ（貯留槽）８が設けられている。トレンチ８は、用水としての海水を貯留可能となっており、津波の発生時において、海水を貯留する。
【００２４】
次に、図１を参照して、火災防護設備１について説明する。火災防護設備１は、図１に示すように、仕切板１１と、断熱材１２と、浸水流路１３と、金属板１４と、吸水材１５と、を備えている。
【００２５】
仕切板１１は、その板面が建屋５の外壁面５ａと対向して設けられている。仕切板１１は、その板厚方向に貫通する複数の貫通孔２１が形成されている。具体的に、仕切板１１は、パンチングメタルを用いて構成されている。この仕切板１１は、津波による浸水時において、複数の貫通孔２１内を海水が流通する。この仕切板１１は、図２に示すように、建屋５の外壁面５ａに固定されたスタッドボルト２４に取り付けられており、建屋５の外壁面５ａと仕切板１１との間には、所定の隙間が形成される。
【００２６】
断熱材１２は、建屋５の外壁面５ａに沿って設けられている。つまり、断熱材１２は、建屋５の外壁面５ａと仕切板１１との間に形成される所定の隙間に設けられている。断熱材１２は、火災によって与えられる熱を遮っている。
【００２７】
浸水流路１３は、建屋５の外壁面５ａと仕切板１１との間に形成されている。具体的に、建屋５の外壁面５ａと仕切板１１との間には、断熱材１２が設けられていることから、浸水流路１３は、断熱材１２と仕切板１１との間に形成されている。この浸水流路１３は、仕切板１１に沿って、鉛直方向に亘って形成されている。この浸水流路１３は、津波の発生時において、海水が流通する。つまり、津波が発生して、海水の水位が上昇すると、海水は、浸水流路１３の下方側から侵入する。そして、海水の水位が上昇するにつれて、海水は、浸水流路１３の下方側から上方側へ向かって流通する。また、この浸水流路１３は、仕切板１１が流路の一部となっていることから、内部を流通する海水は、仕切板１１の複数の貫通孔２１に流通する。
【００２８】
金属板１４は、仕切板１１の外側に設けられ、その板面が仕切板１１の板面と対向して設けられている。この金属板１４は、図２に示すように、ボルト及びナットからなる締結部材２５を用いて、仕切板１１に固定されている。
【００２９】
吸水材１５は、仕切板１１と金属板１４との間に設けられている。吸水材１５は、吸水性を有するセラミック繊維を含んで構成されており、毛細管現象によって海水を吸い上げることが可能となっている。吸水材１５は、締結部材２５により仕切板１１と金属板１４とが締結されることで、仕切板１１と金属板１４との間に挟まれることにより支持される。また、吸水材１５は、鉛直方向の下端部が、トレンチ８の内部まで延在して設けられている。なお、吸水材１５は、外部に露出する部分が、カバー２８で覆われている。
【００３０】
この吸水材１５は、海水に接すると、海水を吸水する。このため、吸水材１５は、津波が発生すると、海水を吸水することで、その内部に海水を保持する。このとき、吸水材１５は、海水を吸水することで、海水の水位よりも上方側まで海水を保持することができる。この吸水材１５は、鉛直方向の上端部が、外部に露出していることから、開放状態となっている。
【００３１】
このような、火炎防護設備１を設けた建屋５の外部において、津波随伴火災が発生すると、津波が建屋５に到達して海水の水位が上昇すると共に、海面上に浮遊する油等の可燃物３０が燃焼する。海水は、海水の水位の上昇に伴って、吸水材１５の下方側から上方側に向かって接していく。また、海水は、浸水流路１３に流通し、仕切板１１の複数の貫通孔２１を介して吸水材１５に接する。吸水材１５は、海水が接すると、海水を吸水し、海水の水位よりも上方側まで海水を保持する。このため、海面上で発生する火災から火炎防護設備１に熱が与えられると、火炎防護設備１の吸水材１５に含まれる海水が熱せられて蒸発する。蒸発した海水、つまり、蒸気は、吸水材１５の上方側から外部に放出される。
【００３２】
この後、津波が引いて、海水の水位が下降する場合、海水は、トレンチ８内に貯留される。このため、吸水材１５は、トレンチ８の内部に貯留された海水を吸水することで、その内部に海水を保持する。よって、津波が引いた状態で、火災から火炎防護設備１に熱が与えられる場合であっても、吸水材１５に含まれる海水が熱せられて蒸発する。
【００３３】
以上のように、実施形態１によれば、建屋５の外部において津波随伴火災が生じる場合であっても、吸水材１５に含まれる海水が蒸発することで、火災の熱による建屋５の温度上昇を抑制することができる。よって、火災防護設備１は、津波随伴火災による熱を遮熱することができるため、建屋５を好適に保護することができる。
【００３４】
また、実施形態１によれば、吸水材１５として、セラミック繊維を用いることにより、海水を好適に吸水することができる。
【００３５】
また、実施形態１によれば、仕切板１１として、パンチングメタルを用いることにより、安価な材料を用いて仕切板１１を構成することができる。
【００３６】
また、実施形態１によれば、建屋５の外壁面５ａと仕切板１１との間に断熱材１２を設けることにより、津波随伴火災による熱をより好適に遮熱することができるため、建屋５をより好適に保護することができる。
【００３７】
また、実施形態１によれば、トレンチ８に海水を貯留することができるため、津波が引いた後でも、吸水材１５は、海水を吸水することができ、その内部に海水を保持することができる。
【００３８】
また、実施形態１によれば、吸水材１５の鉛直方向の上方側が開放されていることから、吸水材１５に含まれる海水が蒸発することで発生する蒸気を、鉛直方向の上方側から好適に抜くことができる。
【００３９】
なお、実施形態１では、断熱材１２を設けたが、吸水材１５に含まれる海水の蒸発によって火災の熱を遮熱可能であれば、断熱材１２を省いてもよい。
【００４０】
［実施形態２］
次に、図３を参照して、実施形態２に係る火災防護設備１について説明する。図３は、実施形態２に係る建屋の火災防護設備を模式的に表した概略構成図である。なお、実施形態２では、重複した記載を避けるべく、実施形態１と異なる部分について説明し、実施形態１と同様の構成である部分については、同じ符号を付して説明する。
【００４１】
実施形態２では、実施形態１の火災防護設備１に、雨除け部材４１をさらに備えた構成となっている。雨除け部材４１は、吸水材１５の上方を覆って設けられ、吸水材１５に雨水が流入することを抑制している。雨除け部材４１は、例えば、建屋５の外壁面５ａに取り付けられ、建屋５の外側に突出して設けられている。雨除け部材４１は、自由端となる先端側が、吸収材１５よりも外側に位置して設けられている。
【００４２】
以上のように、実施形態２によれば、雨除け部材４１により雨水が吸水材１５に流入することを抑制することができるため、吸水材１５が劣化することを抑制することができる。
【００４３】
なお、実施形態２では、雨除け部材４１を建屋５の外壁面５ａに取り付けたが、取付位置は特に限定されず、火災防護設備１の仕切板１１または金属板１４に取り付けてもよい。
【００４４】
また、実施形態１及び２の火災防護設備１に加えて、吸水材１５の上方側から海水等の用水を供給する給水装置をさらに備えてもよい。この構成によれば、吸水材１５は、その内部の上端まで用水を保持することができるため、吸水材１５の鉛直方向における全長に亘って、津波随伴火災による熱を好適に遮熱することができる。
【符号の説明】
【００４５】
１  火災防護設備
５  建屋
５ａ  外壁面
７  設置面
８  トレンチ
１１  仕切板
１２  断熱材
１３  浸水流路
１４  金属板
１５  吸水材
２１  貫通孔
２４  スタッドボルト
２５  締結部材
２８  カバー
３０  可燃物
４１  雨除け部材
【図１】
0006452489.tif 000002
【図２】
0006452489.tif 000003
【図３】
0006452489.tif 000004